(57)【特許請求の範囲】
【請求項１】
内筒と、該内筒の外方に間隔をあけて配置された外筒と、内外筒間に介設されたゴム状弾性体製の防振基体と、該防振基体の外周側と前記外筒の内周面との間に介在された中間リングとを備え、前記中間リングよりも軸方向中央側で、防振基体の外周側に形成された空間が、前記外筒で囲まれて液室とされた液封入式防振装置において、前記外筒と中間リングとが互いに異種金属とされ、前記中間リングの外周面にゴム状弾性体製の二条の突条が形成され、液室側の突条に切欠が形成されたことを特徴とする液封入式防振装置。
【請求項２】
前記中間リングが、液室の軸方向両側で、防振基体の外周側に固着され、両側の中間リングが接続部によって接続されて防振基体と外筒との間に介在される中間筒が構成されたことを特徴とする請求項１記載の液封入式防振装置。
【請求項３】
前記外筒はアルミニウム製とされ、前記中間リングは鋼製とされたことを特徴とする請求項１又は２記載の液封入式防振装置。
【発明の詳細な説明】
【０００１】
【発明の属する技術分野】
本発明は、例えば自動車のデファレンシャルやエンジンの支持機構、あるいはサスペンション機構等の一部に組み込まれて、車体側に伝達される振動を減衰するための液封入式防振装置に関するものである。
【０００２】
【従来の技術】
一般に、自動車のデファレンシャルやエンジンの支持機構、あるいはサスペンション機構等の一部には、車体側に伝達される振動を減衰するため、液封入式防振装置が組み込まれることがある。図１８、図１９、図２０及び図２１に、液封入式防振装置の一例を示す。図１８は液封入式防振装置の外筒取付前の状態を示す斜視図である。
【０００３】
この液封入式防振装置は、鋼製の内筒１０１と、内筒１０１の外方に間隔をあけて配置されたアルミニウム製の外筒１０２と、内外筒１０１、１０２間に介設されたゴム状弾性体製の防振基体１０３とを備えており、内筒１０１がデフケースに取り付けられ、外筒１０２が車体側に取り付けられて、両者を防振的に連結する。
【０００４】
防振基体１０３の外周側には、外筒１０２と防振基体１０３との間に介在される鋼製の中間筒１０４が固着されている。この中間筒１０４は、防振基体１０３の軸方向両端付近に固着される中間リング１０５と、両中間リング１０５を軸方向に接続する接続部１０６とからなり、その中間リング１０５が外筒１０２の内周面に固定されて、外筒１０２の内周面に防振基体１０３が固定される。
【０００５】
中間リング１０５の外周面には、ゴム状弾性体製の二条の突条１０７が形成され、外筒１０２と中間リング１０５との間をシールすると共に、両者が接触しないようにして、異種金属が接触したときの電位差による腐食を防止している。
【０００６】
防振基体１０３の外周側で、両中間リング１０５間には、隔壁１０８で仕切られた二つの空間１０９が形成されており、外筒１０２を液槽内で縮径して中間リング１０５に固定することにより、外筒１０２で空間１０９が囲まれて、オリフィス１１０で連通された二つの液室１１１が構成される。
【０００７】
図１９は外筒の縮径前の中間リング付近の拡大断面図、図２０は外筒の縮径後の中間リング付近の拡大断面図、図２１は車体側開口への外筒圧入時の中間リング付近の拡大断面図である。液槽内で外筒１０２を縮径して、その内周面が両突条１０７に接触したとき、外筒１０２と中間リング１０５と、突条１０７とで囲まれる空間１１２が外部と遮断される。この空間１１２内の液１１３は、外筒１０２の縮径完了後も、この空間１１２内に残存する。
【０００８】
この液封入式防振装置を車体側に取り付けるとき、車体側メンバーの開口に圧入される外筒１０２が縮径され、液１１３が封じ込められた空間１１２の容積が小さくなる。そのため、液１１３の一部が、液室１１１と反対側の突条１０７と、外筒１０２との間を通って外部に漏出する恐れがある。
【０００９】
【発明が解決しようとする課題】
本発明は、外筒を取付部材の開口に圧入固定する際に、液の漏出を防止できる液封入式防振装置を提供することを目的とする。
【００１０】
【課題を解決するための手段】
上記目的を達成するため、本発明は、内筒と、該内筒の外方に間隔をあけて配置された外筒と、内外筒間に介設されたゴム状弾性体製の防振基体と、該防振基体の外周側と前記外筒の内周面との間に介在された中間リングとを備え、前記中間リングよりも軸方向中央側で、防振基体の外周側に形成された空間が、前記外筒で囲まれて液室とされた液封入式防振装置において、前記外筒と中間リングとが互いに異種金属とされ、前記中間リングの外周面にゴム状弾性体製の二条の突条が形成され、液室側の突条に切欠が形成されたことを特徴とする液封入式防振装置を提供する。
【００１１】
すなわち、本発明は、外筒の縮径や、防振基体の外筒への圧入等によって、外筒と防振基体とを固定できるように、防振基体の外周側と外筒の内周面との間に中間リングを介在させ、この中間リングの外周面に、ゴム状弾性体製の二条の突条を形成して、液室からの液の漏出と、異種金属である外筒及び中間リングの接触とを防止した液封入式防振装置を前提として、両突条のうち、液室側の突条に切欠を形成するものである。
【００１２】
この液封入式防振装置では、取付部材の開口に圧入固定する際、外筒が縮径されることによって、外筒と中間リングと両突条とで囲まれた空間に封じ込められた液が、この空間から排出される。液室側の突条に切欠を形成することにより、封じ込められた液を液室側に逃がして、外部に液が漏出しないようにすることができる。
【００１３】
なお、外筒と防振基体との固定部は、その全ての部分に中間リングを介在させる必要はなく、液室の軸方向両端側のうち、一方では、中間リングを介在させて外筒と防振基体とを固定し、他方では、外筒と防振基体とを直接に接着してもよい。この場合、例えば、外筒と直接に接着された側の防振基体の圧縮を伴って、液槽内で、外筒を縮径する。あるいは、中間リングが軸方向で外筒の外側に位置するように防振基体を形成し、液糟内で、防振基体の変形を伴って、中間リングを軸方向に押し込んで外筒の内側に圧入することにより、液室に液を封入する。
【００１４】
また、本発明は、上記液封入式防振装置において、前記中間リングが、液室の軸方向両側で、防振基体の外周側に固着され、両側の中間リングが接続部によって接続されて防振基体と外筒との間に介在される中間筒が構成されたことを特徴とする液封入式防振装置を提供する。
【００１５】
すなわち、本発明は、液室の軸方向両側の防振基体外周側に、接続部で軸方向に接続された中間リングを固着するものであり、外筒がない状態で防振基体を成形することができ、その成形を簡単にすることができる。また、液室の軸方向両側の間隔を一定にして、液室の容積を所定の大きさにすることができる。
【００１６】
また、上記液封入式防振装置において、前記外筒はアルミニウム製とされ、前記中間リングは鋼製とされたことを特徴とする液封入式防振装置を提供することにより、本発明の液封入式防振装置の好適な態様を提供することができる。
【００１７】
すなわち、車体側メンバーをアルミニウム製として車体の軽量化を図る場合、外筒をアルミニウム製とすることにより、外筒と車体側メンバーとの電位差による腐食を防止できる。一方、中間リングを鋼製とすることにより、その寸法を小さくして液封入式防振装置の小型化を図ることができる。
【００１８】
【発明の実施の形態】
以下、本発明に係る液封入式防振装置の実施に形態について、図面を用いて説明する。図１は本発明の液封入式防振装置の外筒取付前の状態を示す斜視図、図２はその平面図、図３はその正面図、図４はその右側面図、図５はその左側面図、図６はそのＡ−Ａ断面図、図７はそのＢ−Ｂ断面図、図８はその中間リング付近の拡大断面図、図９はその突条の切欠の断面図、図１０はその切欠の正面図である。図１１は外筒取付後の状態を示す正面図、図１２はそのＣ−Ｃ断面図、図１３はそのＤ−Ｄ断面図、図１４は車体側メンバーの開口に圧入された状態を示す軸方向断面図である。
【００１９】
この液封入式防振装置は、鋼製の内筒１と、内筒１の外方に間隔をあけて配置されたアルミニウム製の外筒２と、内外筒１、２間に介設されたゴム状弾性体製の防振基体３とを備えており、その軸方向を略水平方向に向けて配置されて、内筒１がデフケースに取り付けられ、外筒２が車体側に取り付けられて、両者を防振的に連結する。
【００２０】
内筒１は、筒部４と底部５とからなる略カップ状とされ、デフケースに突設されて底部５のボルト孔６を貫通するボルトに、筒部４の内部でナットを螺合することにより、デフケースにボルト締結される。また、外筒２は、筒状とされ、車体側メンバーの開口に圧入固定される。
【００２１】
防振基体３は、軸方向に平行かつ互いに平行な二つの面で、上下部分が切り欠かれた略リング状とされる。この防振基体３の内周面は、内筒１の外周面に固着され、防振基体３の外周側には、外筒２と防振基体３との間に介在される鋼製の中間筒７が固着されている。
【００２２】
中間筒７は、防振基体３の軸方向両端付近に固着される筒状の二つの中間リング８と、両中間リング８を軸方向に接続し、防振基体３の上下面を除く外周面に固着された板状の二つの接続部９とからなり、その中間リング８が外筒２の内周面に固定されて、外筒２の内周面と防振基体３とを結合する。
【００２３】
防振基体３の軸方向両端部で、上下部分の中間リング８との間は、防振基体３と連続して形成されるゴム状弾性膜１０で塞がれており、防振基体３の上下の二つの空間は、その外周側を外筒２で囲まれて、内部に液が封入された液室１１ａ、１１ｂとされる。
【００２４】
両液室１１ａ、１１ｂを連続させる外筒２と接続部９との隙間１２には、両液室１１ａ、１１ｂ間を遮断するゴム状弾性体製の隔壁１３ａ、１３ｂが配されている。このうち、一方の隔壁１３ａの中央付近には、オリフィス１４が形成され、両液室１１ａ、１１ｂを連通させている。
【００２５】
内外筒１、２が上下方向に相対的に振動するとき、液がオリフィス１４を通って両液室１１ａ、１１ｂ間を移動することにより、その振動を減衰する。なお、高周波振動時には、ゴム状弾性膜１０が変形することにより、オリフィス１４を通過する液の流速が大きくなりすぎないようにしている。
【００２６】
液室１１ａ、１１ｂ内には、内筒１に固着された合成樹脂製のストッパ１５が突出形成されている。このストッパ１５は、その外周側の中央付近を除いて、防振基体３と連続するストッパゴム状弾性部１６で覆われており、液との摩擦を大きくして減衰効果を高めると共に、上下方向の振動時に、外筒２に当接して過大な変位を阻止する。
【００２７】
中間リング８の外周面の軸方向両端部には、周方向に連続する二条の突条１７ａ、１７ｂが形成され、異種金属である外筒２と中間リング８とが接触しないようにしている。この突条１７は、防振基体３、あるいはゴム状弾性膜１０と連続して、中間リング８の内周面から軸方向両端面を巻き込むようにして形成され、その外周面には、外筒２と中間リング８との間をシールする山部１８が形成されている。
【００２８】
両突条１７ａ、１７ｂのうち、液室１１ａ、１１ｂ側の突条１７ｂには、四つの切欠１９が周方向に等間隔で形成されている。この切欠１９は、中間リング８の軸方向端面部分に形成されている。
【００２９】
次に、この液封入式防振装置に液を封入して車体側に装着する様子について説明する。まず、図１〜図１０に示す外筒取付前の状態で、中間リング８を縮径して防振基体３を予圧縮してその耐久性を高める。このとき、中間リング８の軸方向中央付近がゴム状弾性体で覆われていないため、中間リング８を容易に縮径することができる。
【００３０】
中間リング８に外嵌した外筒２を液槽内で縮径し、その両端を内向きにかしめて中間リング８に固定して、液室１１ａ、１１ｂに液を封入する。なお、この状態では、外筒２と中間リング８と両突条１７ａ、１７ｂとで囲まれた空間内に液が封じ込められている。
【００３１】
外筒２を車体側フレームの開口内周縁に設けたカラー２０に圧入して、液封入式防振装置の車体側への装着が完了する。この外筒２の圧入時には、外筒２が縮径され、外筒２と中間リング８と両突条１７ａ、１７ｂとで囲まれた空間の容積が小さくなる。このとき、空間内に封じ込められた液は、突条１７ｂの切欠１９部分から液室１１ａ、１１ｂに流れ込む。
【００３２】
上記構成によれば、外筒２と中間リング８とを接触させないための突条１７ａ、１７ｂのうち、液室１１ａ、１１ｂ側の突条１７ｂに切欠１９を形成するため、外筒２の車体側への圧入時で、両突条１７ａ、１７ｂ間の液圧が大きくなったとき、液が液室１１ａ、１１ｂ側に逃がして、外部に漏出しないようにすることができる。また、切欠１９は、中間リング８の軸方向端面部分に形成するため、外筒２の圧入時のように液圧が極端に大きくならないときには、そのシール機能を損なうことはない。
【００３３】
なお、本発明は、上記の実施の形態に限定されるものではなく、本発明の範囲内において適宜変更を加えることができる。例えば、図１５、図１６及び図１７に示すように、上述の実施形態と同様、液室１１ａ、１１ｂ側の突条２１ｂに、切欠１９を形成するだけでなく、突条２１ｂに山部を形成せずに、液室１１ａ、１１ｂと反対側の突条２１ａに二山の山部２２を形成し、突条２１ｂの軸方向幅を突条２１ａの軸方向幅よりも短くして、突条２１ａのシール機能を突条２１ｂのシール機能よりも高くしてもよい。
【００３４】
液室１１ａ、１１ｂと反対側の突条２１ａのシール機能を、液室１１ａ、１１ｂ側の突条２１ｂのシール機能よりも高めることにより、両突条２１ａ、２１ｂ間に封じ込められた液を液室１１ａ、１１ｂに逃がして、車体側への外筒２の圧入時に、液の漏出をより確実に防止できる。
【００３５】
【発明の効果】
以上の説明から明らかな通り、本発明によると、中間リングの外周面に形成する二条の突条のうち、液室側の突条に切欠を形成するため、車体側への外筒圧入時に、両突条間の液を液室側に逃がして外部への漏出を防止できる。
【００３６】
その結果、外筒と中間リングとを異種金属とする場合に、液を漏出させることなく、外筒と中間リングとが接触しないようにして、電位差による腐食を防止することができる。そのため、外筒及び車体側フレームをアルミニウム製として車体の軽量化を図り、中間リングを鋼製として液封入式防振装置の小型化を図ることができる。
【図面の簡単な説明】
【図１】本発明の液封入式防振装置の外筒取付前の状態を示す斜視図
【図２】その平面図
【図３】その正面図
【図４】その右側面図
【図５】その左側面図
【図６】そのＡ−Ａ断面図
【図７】そのＢ−Ｂ断面図
【図８】その中間リング付近の拡大断面図
【図９】その突条の切欠の断面図
【図１０】その切欠の正面図
【図１１】外筒取付後の状態を示す正面図
【図１２】そのＣ−Ｃ断面図
【図１３】そのＤ−Ｄ断面図
【図１４】車体側メンバーの開口に圧入された状態を示す軸方向断面図
【図１５】別の実施形態の中間リング付近の拡大断面図
【図１６】その突条の切欠の断面図
【図１７】その切欠の正面図
【図１８】従来の液封入式防振装置の外筒取付前の状態を示す斜視図
【図１９】外筒の縮径前の中間リング付近の拡大断面図
【図２０】外筒の縮径後の中間リング付近の拡大断面図
【図２１】車体側開口への外筒圧入時の中間リング付近の拡大断面図
【符号の説明】
１      内筒
２      外筒
３      防振基体
７      中間筒
８      中間リング
９      接続部
１１ａ  液室
１１ｂ  液室
１７ａ  突条（液室と反対側）
１７ｂ  突条（液室側）
１８    山部
１９    切欠
【図１】
0004073648.tif 000002
【図２】
0004073648.tif 000003
【図３】
0004073648.tif 000004
【図４】
0004073648.tif 000005
【図５】
0004073648.tif 000006
【図６】
0004073648.tif 000007
【図７】
0004073648.tif 000008
【図８】
0004073648.tif 000009
【図９】
0004073648.tif 000010
【図１０】
0004073648.tif 000011
【図１１】
0004073648.tif 000012
【図１２】
0004073648.tif 000013
【図１３】
0004073648.tif 000014
【図１４】
0004073648.tif 000015
【図１５】
0004073648.tif 000016
【図１６】
0004073648.tif 000017
【図１７】
0004073648.tif 000018
【図１８】
0004073648.tif 000019
【図１９】
0004073648.tif 000020
【図２０】
0004073648.tif 000021
【図２１】
0004073648.tif 000022